(57)【特許請求の範囲】
【請求項１】
放送局から放送される通信販売の商品をテレビ受像機で受信して表示し、該テレビ受像機で表示された商品の中から選択された購入商品の代金を、決済サーバとＩＣカードとの間で、少なくとも取引情報及び信用情報を送受信することで決済する決済システムであって、
前記テレビ受像機が、前記選択された購入商品の商品情報を通販会社サーバに送信し、
前記通販会社サーバが、購入商品に対する決済関連情報をカード会社サーバに送信し、
前記カード会社サーバが、前記通販会社サーバに対して自身のアドレスを送信し、
前記通販会社サーバが、前記カード会社サーバのアドレスに接続するためのリダイレクト要求を前記テレビ受像機に送信し、
前記テレビ受像機が、前記リダイレクト要求に応じて前記カード会社サーバにリダイレクトし、
前記リダイレクトに応じて、前記カード会社サーバと前記テレビ受像機と双方向通信可能なＩＣカードとの間でセッションを確立し、
前記セッションが確立すると、前記カード会社サーバと前記ＩＣカードとの間で、前記テレビ受像機を介して、少なくとも取引情報及び信用情報を、直接、送受信して決済する
ことを特徴とする決済システム。
【請求項２】
前記テレビ受像機を遠隔操作するリモートコントローラが、
前記ＩＣカードとの間でデータを送受信する送受信装置と、
前記送受信装置と前記テレビ受像機との間で双方向通信する通信装置と、
前記ＩＣカードを着脱可能に装着する装着手段と、
を備え、
前記テレビ受像機は、
前記通信装置との間で双方向通信する第１の通信手段と、
前記カード会社サーバとの間で通信回線を介してデータを送受信する第２の通信手段とを備え、
前記カード会社サーバと前記ＩＣカードとは、前記少なくとも取引情報及び信用情報を、前記テレビ受像機の前記第１の通信手段及び前記第２の通信手段を介して直接送受信することで決済する
ことを特徴とする請求項１に記載の決済システム。
【請求項３】
前記ＩＣカードは、
外部へ送信するデータを暗号化する暗号化手段を備えることを特徴とする請求項１または請求項２に記載の決済システム。
【請求項４】
通販会社サーバと、カード会社サーバと、テレビ受像機とを有し、
前記通販会社サーバが、前記テレビ受像機から受信した購入商品の商品情報に基づいて、当該購入商品に対する決済関連情報を前記カード会社サーバに送信し、
前記カード会社サーバが、前記通販会社サーバに対して自身のアドレスを送信し、
前記通販会社サーバが、前記カード会社サーバのアドレスに接続するためのリダイレクト要求を前記テレビ受像機に送信し、
前記テレビ受像機からの前記リダイレクト要求に対するリダイレクトに応じて、前記カード会社サーバと前記テレビ受像機と双方向通信可能なＩＣカードとの間でセッションを確立し、
前記セッションが確立すると、前記テレビ受像機で表示された商品の中から選択された購入商品の代金を、前記カード会社サーバと前記ＩＣカードとの間で、前記テレビ受像機を介して、少なくとも取引情報及び信用情報を、直接、送受信して決済する決済システムにおける前記テレビ受像機であって、
放送局から放送される通信販売の商品を受信して表示する手段と、
前記選択された購入商品の商品情報を前記通販会社サーバに送信する手段と、
前記リダイレクト要求に応じて前記カード会社サーバにリダイレクトする手段と、
を備えることを特徴とするテレビ受像機。
【請求項５】
放送局から放送される通信販売の商品をテレビ受像機で受信して表示し、該テレビ受像機で表示された商品の中から選択された購入商品の代金を、決済サーバとＩＣカードとの間で、少なくとも取引情報及び信用情報を送受信することで決済する決済方法であって、
前記選択された購入商品の商品情報を通販会社サーバに送信するステップと、
前記通販会社サーバが購入商品に対する決済関連情報をカード会社サーバに送信するステップと、
前記カード会社サーバが前記通販会社サーバに対して自身のアドレスを送信するステップと、
前記通販会社サーバが前記カード会社サーバのアドレスに接続するためのリダイレクト要求を前記テレビ受像機に送信するステップと、
前記テレビ受像機が前記リダイレクト要求に応じて前記カード会社サーバにリダイレクトするステップと、
前記リダイレクトに応じて、前記カード会社サーバと前記テレビ受像機と双方向通信可能なＩＣカードとの間でセッションを確立するステップと、
前記セッションが確立すると、前記カード会社サーバと前記ＩＣカードとの間で、前記テレビ受像機を介して、少なくとも取引情報及び信用情報を、直接、送受信して決済するステップと、
を含むことを特徴とする決済方法。
【発明の詳細な説明】
【技術分野】
【０００１】
本発明は、ＩＣカードに係り、地上波デジタルや、インターネット等の双方向に情報をやり取りできる環境下で商品代金を決済する決済システム、テレビ受像機、決済方法に関する。
【背景技術】
【０００２】
現在、地上波デジタル等の双方向にデータを送受信できる環境において、その双方向性を利用した通信販売が考えられている。商品の決済は、クレジットカード情報をテレビに入力し、放送局のサーバを介して、通信販売会社のサーバへ送信することで行われる（非特許文献１参照）。
【非特許文献１】“Technical journal No.20 ―通巻８８号―（２００４年４月）”、「online」、「平成２０年２月１２日検索」、インターネット＜ＵＲＬ：http://www.sharp.co.jp/corporate/rd/23/23-1.html＞
【発明の開示】
【発明が解決しようとする課題】
【０００３】
しかしながら、上述した従来技術（非特許文献１）では、クレジットカード情報をテレビに入力したり、事前に加入や、申し込みなどを行ったりすることが必要なため、テレビのメモリに、クレジット情報や、決済情報が残ってしまったり、第三者である放送局等にクレジットカード情報が知られてしまうという問題がある。テレビと通信販売会社との間の通信を暗号化することは可能であるが、テレビに入力されたデータを暗号化し、送信するためテレビには、暗号化前の情報が残る可能性がある。
【０００４】
また、現在、クレジットカードや、キャッシュカードは、セキュリティの観点から、カード情報を磁気ストライプからＩＣチップ内へと移行が進んでいる。しかし、従来技術によるネットショッピング等では、クレジットカードの券面に印刷等で表示された情報を入力、送信するだけで商品が購入できてしまうため、ＩＣカードのセキュリティ機能を享受できないという問題がある。
【０００５】
また、各個人のＰＣ（Personal Computer）にＩＣカード端末を設置し、インターネットに接続することも可能ではあるが、ＩＣカード端末がクレジットカード会社からの認定を受ける必要があるなど、セキュリティの面、コストの面から現実的でないという問題がある。
【０００６】
また、従来技術では、ＩＣカードの情報を読み取ったり、ＩＣカードへ情報を書き込むためのＩＣカード端末から先の通信回線での通信を暗号化していた。しかしながら、ＩＣカード端末とＩＣカードとの間は、コマンド情報がやり取りされており、そのようなコマンド情報から、ＩＣカードの固有情報が盗聴されてしまう問題があった。
【０００７】
本発明は、このような事情を考慮してなされたものであり、その目的は、通販による商品購入時の操作負担を軽減化することができ、かつ、情報漏洩を防止することができる決済システム、テレビ受像機、決済方法を提供することにある。
【課題を解決するための手段】
【０００８】
上述した課題を解決するために、本発明は、放送局から放送される通信販売の商品をテレビ受像機で受信して表示し、該テレビ受像機で表示された商品の中から選択された購入商品の代金を、決済サーバとＩＣカードとの間で、少なくとも取引情報及び信用情報を送受信することで決済する決済システムであって、前記テレビ受像機が、前記選択された購入商品の商品情報を通販会社サーバに送信し、前記通販会社サーバが、購入商品に対する決済関連情報をカード会社サーバに送信し、前記カード会社サーバが、前記通販会社サーバに対して自身のアドレスを送信し、前記通販会社サーバが、前記カード会社サーバのアドレスに接続するためのリダイレクト要求を前記テレビ受像機に送信し、前記テレビ受像機が、前記リダイレクト要求に応じて前記カード会社サーバにリダイレクトし、前記リダイレクトに応じて、前記カード会社サーバと前記テレビ受像機と双方向通信可能なＩＣカードとの間でセッションを確立し、前記セッションが確立すると、前記カード会社サーバと前記ＩＣカードとの間で、前記テレビ受像機を介して、少なくとも取引情報及び信用情報を、直接、送受信して決済することを特徴とする決済システムである。
【０００９】
また本発明は、上述の決済システムにおいて、前記テレビ受像機を遠隔操作するリモートコントローラが、前記ＩＣカードとの間でデータを送受信する送受信装置と、前記送受信装置と前記テレビ受像機との間で双方向通信する通信装置と、前記ＩＣカードを着脱可能に装着する装着手段と、を備え、前記テレビ受像機は、前記通信装置との間で双方向通信する第１の通信手段と、前記カード会社サーバとの間で通信回線を介してデータを送受信する第２の通信手段とを備え、前記カード会社サーバと前記ＩＣカードとは、前記少なくとも取引情報及び信用情報を、前記テレビ受像機の前記第１の通信手段及び前記第２の通信手段を介して直接送受信することで決済することを特徴とする。
【００１１】
また本発明は、上記の決済システムにおいて、前記ＩＣカードは、外部へ送信するデータを暗号化する暗号化手段を備えることを特徴とする。
【００１２】
また、上述した課題を解決するために、本発明は、通販会社サーバと、カード会社サーバと、テレビ受像機とを有し、前記通販会社サーバが、前記テレビ受像機から受信した購入商品の商品情報に基づいて、当該購入商品に対する決済関連情報を前記カード会社サーバに送信し、前記カード会社サーバが、前記通販会社サーバに対して自身のアドレスを送信し、前記通販会社サーバが、前記カード会社サーバのアドレスに接続するためのリダイレクト要求を前記テレビ受像機に送信し、前記テレビ受像機からの前記リダイレクト要求に対するリダイレクトに応じて、前記カード会社サーバと前記テレビ受像機と双方向通信可能なＩＣカードとの間でセッションを確立し、前記セッションが確立すると、前記テレビ受像機で表示された商品の中から選択された購入商品の代金を、前記カード会社サーバと前記ＩＣカードとの間で、前記テレビ受像機を介して、少なくとも取引情報及び信用情報を、直接、送受信して決済する決済システムにおける前記テレビ受像機であって、放送局から放送される通信販売の商品を受信して表示する手段と、前記選択された購入商品の商品情報を前記通販会社サーバに送信する手段と、前記リダイレクト要求に応じて前記カード会社サーバにリダイレクトする手段と、を備えることを特徴とするテレビ受像機である。
【００１４】
また、上述した課題を解決するために、本発明は、放送局から放送される通信販売の商品をテレビ受像機で受信して表示し、該テレビ受像機で表示された商品の中から選択された購入商品の代金を、決済サーバとＩＣカードとの間で、少なくとも取引情報及び信用情報を送受信することで決済する決済方法であって、前記選択された購入商品の商品情報を通販会社サーバに送信するステップと、前記通販会社サーバが購入商品に対する決済関連情報をカード会社サーバに送信するステップと、前記カード会社サーバが前記通販会社サーバに対して自身のアドレスを送信するステップと、前記通販会社サーバが前記カード会社サーバのアドレスに接続するためのリダイレクト要求を前記テレビ受像機に送信するステップと、前記テレビ受像機が前記リダイレクト要求に応じて前記カード会社サーバにリダイレクトするステップと、前記リダイレクトに応じて、前記カード会社サーバと前記テレビ受像機と双方向通信可能なＩＣカードとの間でセッションを確立するステップと、前記セッションが確立すると、前記カード会社サーバと前記ＩＣカードとの間で、前記テレビ受像機を介して、少なくとも取引情報及び信用情報を、直接、送受信して決済するステップと、を含むことを特徴とする決済方法である。
【発明の効果】
【００１５】
この発明によれば、決済サーバとＩＣカードとの間で、少なくとも取引情報及び信用情報を、テレビ受像機の第１の通信手段及び第２の通信手段を介して直接送受信することで決済する。したがって、商品購入時に、クレジットカード情報を入力することなく決済を行うため、データ入力が不要となり、操作負荷を軽減化することができ、また、第三者にクレジットカード情報が漏洩するのを防止することができる。
【００１６】
また、本発明によれば、送受信装置及び通信装置を、テレビ受像機を遠隔操作するリモートコントローラに設ける。したがって、商品購入時に、クレジットカード情報を入力することなく決済を行うため、データ入力が不要となり、操作負荷を軽減化することができ、また、第三者にクレジットカード情報が漏洩するのを防止することができる。
【００１７】
また、本発明によれば、ＩＣカードの機能を携帯電話に着脱可能なＩＣチップ内に内蔵し、送受信装置及び通信装置を携帯電話の既存の機能を用いる。したがって、商品購入時に、クレジットカード情報を入力することなく決済を行うため、データ入力が不要となり、操作負荷を軽減化することができ、また、第三者にクレジットカード情報が漏洩するのを防止することができる。
【００１８】
また、この発明によれば、ＩＣカードは、外部へ送信するデータを暗号化する。したがって、ＩＣカードのセキュリティ機能を享受できる。
【００１９】
また、この発明によれば、テレビ受像機は、表示された商品の中から選択された購入商品の代金を決済するための少なくとも取引情報及び信用情報を、第１の通信手段及び第２の通信手段を介して、決済サーバとＩＣカードとの間でそのまま送受信する。したがって、テレビ受像機には、取引情報及び信用情報が残ることがないので、情報の漏洩を防止することができる。
【００２０】
また、この発明によれば、テレビ受像機を介して、選択された購入商品の商品情報に基づいて、決済サーバとＩＣカードとの間で直接セッションを確立し、テレビ受像機を介して、決済サーバとＩＣカードとの間で、少なくとも取引情報及び信用情報を、直接、送受信して決済する。したがって、商品購入時に、クレジットカード情報を入力することなく決済を行うため、データ入力が不要となり、操作負荷を軽減化することができ、また、第三者にクレジットカード情報が漏洩するのを防止することができる。
【００２１】
また、この発明によれば、選択された購入商品の商品情報を通販会社サーバに送信し、通販会社サーバが購入商品に対する決済関連情報をカード会社サーバに送信し、カード会社サーバが通販会社サーバに対して自身のアドレスを送信し、通販会社サーバがカード会社サーバのアドレスに接続するためのリダイレクト要求をテレビ受像機に送信し、テレビがリダイレクト要求に応じてカード会社サーバにリダイレクトし、該リダイレクトに応じて、カード会社サーバとテレビ受像機と双方向通信可能なＩＣカードとの間でセッションを確立し、該セッションが確立すると、カード会社サーバとＩＣカートとの間で、テレビ受像機を介して、少なくとも取引情報及び信用情報を、直接、送受信して決済する。したがって、商品購入時に、クレジットカード情報を入力することなく決済を行うため、データ入力が不要となり、操作負荷を軽減化することができ、また、第三者にクレジットカード情報が漏洩するのを防止することができる。
【発明を実施するための最良の形態】
【００２２】
以下、本発明の一実施形態を、図面を参照して説明する。
【００２３】
図１は、本発明の実施形態による通信システムの構成を示すブロック図である。図において、放送局１は、地上波デジタルテレビ放送８を配信（無線、有線）する。テレビ２は、放送局１から配信される地上波デジタルテレビ放送８を受信（無線、有線）して映像を表示する。該テレビ２は、インターネット回線７に接続されている。リモートコントローラ（以下、リモコンという）３は、上記テレビ２の受信チャンネルや、音量などを指定するための操作部に加えて、ＩＣカード４を着脱可能に装着するための装着機能や、該ＩＣカード４との間で商品購入に伴う決済に関するクレジットカード情報を授受する通信機能などを備えている。
【００２４】
テレビ２とリモコン３とは、双方向の通信手段、例えば、赤外線通信や、無線通信等を介して双方向通信を可能とするための通信手段を備えている。また、リモコン３は、テレビ２から受け取ったデータをＩＣカード４に送信するとともに、ＩＣカード４から受け取ったデータをテレビ２へと送信する。ＩＣカード４は、店舗での商品の購入を行う際に用いられる一般的なカードであり、利用者の個人情報や、暗証番号、金融機関情報などのクレジットカード情報を保持し、内蔵するＣＰＵにより外部との間での情報の送受信において、受信した暗号化された情報を復号化し、また送信する情報を暗号化する暗号化処理の機能を有する。
【００２５】
また、通販会社サーバ５は、テレビ放送で商品を広告し、該テレビ放送を見た視聴者との間で商品の売買を行う通販会社により運用されるサーバである。カード会社サーバ６は、視聴者と通販会社との間で行われる商品の売買に係る決済を行うカード会社により運用されるサーバである。通販会社サーバ５及びカード会社サーバ６は、インターネット回線７を介して、テレビ２と通信を行う。通販会社サーバ５とカード会社サーバ６とは、インターネット回線７、またはその他の方法により通信を行う。
【００２６】
図２は、本実施形態によるリモコン３の外観とＩＣカード４の装着状態を示す模式図である。リモコン３の側部には、図２（ｃ）に示すように、ＩＣカード４を装着するためのスロット３−１が設けられている。そして、図２（ａ）、（ｂ）に示すように、該スロット３−１にＩＣカード４を挿入することで、ＩＣカード４の端子とスロット３−１内に設けられた端子とが接続するようになっている。
【００２７】
図３は、本実施形態による、ＩＣカード４とカード会社サーバ６との構成を示すブロック図である。なお、図１に対応する部分には同一の符号を付けている。図において、ＩＣカード４は、主に、ＯＳ（Operating System）４−１、暗号化機能４−２、クレジットカードＡＰ（APplication）４−３、及びキャッシュカードＡＰ４−４などからなる。ＯＳ４−１は、ＩＣカード４の全動作を制御するソフトウェアである。暗号化機能４−２は、カード内のデータを外部へ送出する際に暗号化する機能（ＩＣカード−サーバ間でセッションを確立し、暗号通信を行う機能）である。個別のアプリケーションとして単体でＩＣカード４内に組み込むことで実現することができる。クレジットカードＡＰ４−３は、商品の購入等に関する処理を実行するソフトウェアである。キャッシュカードＡＰ４−４は、現金の引き出し、振り込み等に関する処理を実行するソフトウェアである。ＩＣカード４は、リモコン３を介して、直接、テレビ２とデータを送受信するようになっている。
【００２８】
また、カード会社サーバ６は、主に、ＯＳ６−１、サーバアプリケーション６−２、ＩＣカード端末エミュレートアプリケーション６−３からなる。ＯＳ６−１は、カード会社サーバ６の全動作を制御するソフトウェアである。サーバアプリケーション６−２は、ＩＣカード端末エミュレートアプリケーション６−３と送受信したコマンドを暗号化し、ＯＳ６−１、テレビ２を介して、遠隔のＩＣカード４に送信する。ＩＣカード端末エミュレートアプリケーション６−３は、サーバアプリケーション６−２を仮想的にＩＣカード４に見立ててＡＰＤＵ（Application Protocol Data Unit）によりコマンドのやり取りを行い、決済サーバ６１に対して商品の購入に伴う決済処理を実行するものであり、通常、店頭に設置されているＩＣカードリーダライタの機能をソフトウェアで実現したものである。なお、決済サーバ６１は、図示の例では、外部に設けるようにしているが、これに限らず、カード会社サーバ６内に設けられてもよい。
【００２９】
次に、本実施形態の動作について説明する。
図４は、本実施形態の動作を説明するためのシーケンス図である。
【００３０】
まず、放送局１は、予め通販会社から依頼されている商品情報（商品画像、商品名、商品コード、通販会社アドレス等）を放送電波としてテレビ２に対して送信する（ステップＳ１）。テレビ２は、放送局１から送られた商品情報を画面に表示する。次に、視聴者が、リモコン３を用いて、テレビ２に表示されている商品のなかから購入したい商品を選択する（ステップＳ２）。テレビ２は、選択された商品の商品情報（商品名、商品コード等）を、インターネット回線７を介して通販会社サーバ５のアドレスへと送信する（ステップＳ３）。
【００３１】
通販会社サーバ５は、受信した商品情報から決済に必要な決済関連情報（金額等）を生成し、カード会社サーバ６へと送信する（ステップＳ４）。カード会社サーバ６は、通販会社サーバ５にカード会社サーバ６のアドレス（ＩＰアドレス）を送信する（ステップＳ５）。通販会社サーバ５は、カード会社サーバ６から送信したアドレスに接続するようにテレビ２に対して要求を出す（ステップＳ６）。カード会社サーバ６への接続（リダイレクト）を要求されたテレビ２は、上記アドレスに従って、カード会社サーバ６に接続（リダイレクト）する（ステップＳ７）。このとき、テレビ２は、自身のＩＰアドレスをカード会社サーバ６に通知する。
【００３２】
テレビ２からの接続（リダイレクト）を受け付けたカード会社サーバ６は、テレビ２に対して、ＩＣカード４とクレジットカードＡＰ４−３の起動処理コマンドを送信し、テレビ２は、カード会社サーバ６から受け取ったそれらのコマンドを、そのままリモコン３に送信し、リモコン３は、テレビ２から受け取ったそれらのコマンドをそのままＩＣカード４に送信する（ステップＳ８）。
【００３３】
次に、アプリケーション起動コマンドを受け取ったＩＣカード４は、クレジットカードＡＰ４−３を起動し、セッション確立要求をレスポンスとしてリモコン３に返し、レスポンスを受け取ったリモコン３は、それをそのままテレビ２に送信し、テレビ２は、リモコン３から受け取ったデータをそのままカード会社サーバ６に送信する（ステップＳ９）。
【００３４】
テレビ２からデータを受け取ったカード会社サーバ６は、上記と同様の手順で、ＩＣカード４との間で、リモコン３，テレビ２を介して、コマンドの送受信を数回繰り返し、カード会社サーバ６−ＩＣカード４間でのセッションを確立する（ステップＳ１０）。このセッションには、公開暗号化技術を用いる（例えば、ＳＳＬ）。セッション確立後は、カード会社−ＩＣカード間の全てのデータは、暗号化されるので、それを仲介するテレビ２、リモコン３において、あるいはその途中において、どのような内容のデータが送受信されているのかを知ることはできない。
【００３５】
セッション確立後、カード会社サーバ６は、ＩＣカード端末エミュレートアプリケーション６−３により、自らを仮想的にＩＣカード端末とし、ＩＣカード４と通常の取引コマンドを送受信して決済を行う（ステップＳ１１）。このとき、カード会社サーバ６とＩＣカード４との間のテレビ２を介した情報の送受信においては、暗号化機能４−２において、送信する情報が暗号化され、また受信した復号化された情報が復号化される。ＩＣカード４の決済処理が完了すると、カード会社サーバ６は、その取引結果を通販会社サーバ５に送信する（ステップＳ１２）。通販会社サーバ５は、その取引結果をテレビ２に送信し、テレビ２は、それを画面に表示する（ステップＳ１３）。
【００３６】
なお、ステップＳ５において、カード会社サーバ６は、自身のアドレス情報のみを送信したが、認証データを付加し、テレビ２がカード会社サーバ６に再接続する際に認証を行うことでセキュリティを強化するようにしてもよい。
【００３７】
また、ステップＳ７、Ｓ８において、テレビ２がカード会社サーバ６に接続した後に、カード会社サーバ６がＩＣカード４とアプリケーションを起動しているが、カード会社サーバ６との接続前に、ＩＣカード４とアプリケーションを起動し、ＩＣカード４内に記録されたカード会社サーバ６のアドレスに接続することで、全体のシーケンスを簡素化するようにしてもよい。
【００３８】
また、上記ステップＳ１〜Ｓ１３において、カード会社サーバ６の処理を通販会社サーバ５が代行してもよい。
【００３９】
上述した実施形態によれば、店舗でのＩＣクレジット決済と同じように、テレビ２等を利用した通信販売による商品購入時に、クレジットカード情報を入力することなく決済を行うため、データ入力が不要となり、操作負荷を軽減化することができ、また、第三者にクレジットカード情報が漏洩するのを防止することができる。
【００４０】
また、本実施形態によれば、暗号化されたクレジットカードの情報をリモコンを介して、ＩＣカード４とカード会社サーバが直接情報の送受信を行うことで、情報の漏洩がなくＩＣカード４のセキュリティ機能を享受できる。ＩＣカード４の偽造は困難であるため、ＩＣカード４のセキュリティ機能を十分に生かすことができる。
【００４１】
また、本実施形態によれば、ＩＣカードと遠隔のサーバ間で直接セッションを確立し、公開暗号化技術を用いた暗号通信を利用し、ＩＣカードとカード会社サーバが直接データ（コマンド）を送受信することで、テレビや、放送局、さらには、通販会社サーバに対してクレジットカード情報を送信することなく決済を行うので、情報漏洩を防止することができ、セキュリティを向上させることができる。
【００４２】
また、本実施形態によれば、専用のカード等ではなく、現在自分が使用しているＩＣカードをそのまま取引に使うことができる（特別なサービス等に登録する必要がない）。
【００４３】
なお、上述した実施形態では、テレビ２のリモコン３にＩＣカード４を装着する構成としたが、これに限らず、テレビ２に接続されたＩＣカードＲ／Ｗ装置にＩＣカード４を装着したり、ＩＣカード４内のチップと同様のＩＣチップを携帯電話等の携帯端末に取り外し可能に内蔵したりしてもよい。
【図面の簡単な説明】
【００４４】
【図１】本発明の実施形態による通信システムの構成を示すブロック図である。
【図２】本実施形態によるリモコン３の外観とＩＣカード４の装着状態を示す模式図である。
【図３】本実施形態による、ＩＣカード４とカード会社サーバ６との構成を示すブロック図である。
【図４】本実施形態の動作を説明するためのシーケンス図である。
【符号の説明】
【００４５】
１  放送局
２  テレビ
３  リモコン
４  ＩＣカード
４−１  ＯＳ
４−２  暗号化機能
４−３  クレジットカードＡＰ
４−４  キャッシュカードＡＰ
５  通販会社サーバ
６  カード会社サーバ
６−１  ＯＳ
６−２  サーバアプリケーション
６−３  ＩＣカード端末エミュレートアプリケーション
７  インターネット回線
８  テレビ放送
【図１】
0005245447.tif 000002
【図２】
0005245447.tif 000003
【図３】
0005245447.tif 000004
【図４】
0005245447.tif 000005